(57)【特許請求の範囲】
【請求項１】
光源と、被検眼に測定光を導くための測定光路と、参照光を生成するための参照光路と、測定光路を介して被検眼に導かれた測定光と参照光路からの参照光との干渉信号を含む検出信号を検出するための検出器と、を備える干渉光学系と、
前記光検出器からの検出信号を処理して被検眼の深さ情報を取得する演算処理器と、
を備える眼科装置であって、
前記測定光路に設けられ、前記測定光の一部を前記検出器に導く基準部であって、前記測定光路の光路長が異なる複数の深さ情報の位置関係を設定するために用いられる基準干渉信号を生成するための基準部を備える基準光学系と、
被検眼の第１の部位からの測定光と参照光による第１の干渉信号を含む第１の深さ情報と、前記第１の深さ情報とは異なる前記光路長にて取得され被検眼の第２の部位からの測定光と参照光による第２の干渉信号を含む第２の深さ情報との位置関係を、前記基準部からの光による干渉信号である基準干渉信号を基準として設定する設定手段と、
を備えることを特徴とする眼科装置。
【請求項２】
前記演算処理器は、
前記第１の深さ情報に基づいて前記第１の部位の位置を検出し、
前記第２の深さ情報に基づいて前記第２の部位の位置を検出し、
検出された第１の部位の位置と、第２の部位の位置と、前記設定手段によって設定された位置関係と、に基づいて被検眼における第１の部位と第２の部位との間の距離を測定することを特徴とする請求項１の眼科装置。
【請求項３】
前記演算処理器は、前記第１の深さ情報と、前記第２の深さ情報とを、前記基準干渉信号に基づいて合成することによって合成深さ情報を取得することを特徴とする請求項１又は２の眼科装置。
【請求項４】
前記参照光路は、第１の参照光路と、前記第１の参照光路よりも長い光路長に設定される第２の参照光路と、を備え、
前記演算処理器は、
第１の参照光路からの参照光と前記第１の部位からの測定光による第１の干渉信号を含む深さ情報を第１の深さ情報として取得し、
第２の参照光路からの参照光と前記第２の部位からの測定光による第２の干渉信号を含む深さ情報を第２の深さ情報として取得し、
前記基準光学系は、
前記第１の干渉信号に基準干渉信号を形成させるための第１の基準部と、前記第２の干渉信号に基準干渉信号を形成させるための第２の基準部と、を備えることを特徴とする請求項１〜３のいずれかの眼科装置。
【発明の詳細な説明】
【技術分野】
【０００１】
本開示は、被検眼の深さ情報を取得する眼科装置に関する。
【背景技術】
【０００２】
フーリエドメインＯＣＴは、タイムドメインＯＣＴに対してＡスキャンを得る速度が速く、現在では、被検眼の組織（例えば、前眼部、眼底）の断層画像を得る装置として主流になっている（例えば、特許文献１参照）。
【先行技術文献】
【特許文献】
【０００３】
【特許文献１】特開２０１２−７５６４１号公報
【発明の概要】
【発明が解決しようとする課題】
【０００４】
一般的なフーリエドメインＯＣＴにおいては、深さ方向の撮像範囲は、前眼部の一部の領域、あるいは眼底領域に制限される。眼全体を一度に撮像するためにコヒーレンス長が長く設定された波長可変光源を持つフーリエドメインＯＣＴが提案されているが、装置構成が複雑であり、高価である。
【０００５】
本開示は、従来技術の問題点の少なくとも一つを解決できる眼科装置を提供することを技術課題とする。
【課題を解決するための手段】
【０００６】
上記課題を解決するために、本開示は以下のような構成を備えることを特徴とする。
【０００７】
光源と、被検眼に測定光を導くための測定光路と、参照光を生成するための参照光路と、測定光路を介して被検眼に導かれた測定光と参照光路からの参照光との干渉信号を含む検出信号を検出するための検出器と、を備える干渉光学系と、
前記光検出器からの検出信号を処理して被検眼の深さ情報を取得する演算処理器と、
を備える眼科装置であって、
前記測定光路に設けられ、前記測定光の一部を前記検出器に導く基準部であって、前記測定光路の光路長が異なる複数の深さ情報の位置関係を設定するために用いられる基準干渉信号を生成するための基準部を備える基準光学系と、
被検眼の第１の部位からの測定光と参照光による第１の干渉信号を含む第１の深さ情報と、前記第１の深さ情報とは異なる前記光路長にて取得され被検眼の第２の部位からの測定光と参照光による第２の干渉信号を含む第２の深さ情報との位置関係を、前記基準部からの光による干渉信号である基準干渉信号を基準として設定する設定手段と、
を備えることを特徴とする。
【図面の簡単な説明】
【０００８】
【図１】本実施例に係る装置の制御系について説明するための図である。
【図２】第１実施例に係る光学構成について説明するための図である。
【図３】第１実施例に係る装置において深さ情報を合成する場合の一例を示す図である。
【図４】第２実施例に係る光学構成について説明するための図である。
【図５】第２実施例に係る装置において深さ情報を合成する場合の一例を示す図である。
【発明を実施するための形態】
【０００９】
本開示に係る典型的な実施形態を図面に基づいて説明する。
【００１０】
＜概要＞
本実施形態に係る眼科装置の概要について説明する。以下の説明では、眼科装置１として、ＯＣＴ装置を用いた場合について説明するが、これに限定されず、典型的には、干渉光学系を備えた眼科装置に対し本実施形態が適用されうる。例えば、眼寸法測定装置に対して本実施形態が適用されうる。
【００１１】
眼科装置１は、干渉光学系１００と、基準光学系２００とを主に備える（図１、図２、図４参照）。本装置は、例えば、光路長差が異なる複数の深さ情報の位置関係を、干渉光学系１００と基準光学系２００によって生成される基準干渉信号を基準として設定する。
【００１２】
＜基本的構成＞
眼科装置１は、例えば、フーリエドメイン光コヒーレンストモグラフィー（ＦＤ−ＯＣＴ）を基本的構成とする。眼科装置１は、干渉光学系１００（ＯＣＴ光学系）、演算制御器７０を含む。ＦＤ−ＯＣＴとしては、波長掃引式ＯＣＴ（ＳＳ−ＯＣＴ：Swept source-OCT）、スペクトルドメインＯＣＴ（ＳＤ−ＯＣＴ：Spectral Domain OCT）が代表的である。もちろん、これに限定されず、タイムドメインＯＣＴ（ＴＤ−ＯＣＴ）であってもよい。
【００１３】
干渉光学系１００は、例えば、ＯＣＴ原理を用いて被検眼Ｅの深さ情報を得るための干渉計に係る構成を有してもよい。より詳細には、干渉光学系１００は、例えば、光源１０２と、スプリッタ（光分割器）、測定光路、参照光路、コンバイナ（光合成器）、光検出器（以下、検出器）を有してもよい。この場合、スプリッタ（例えば、カップラ１０４）は、光源からの光を測定光路と参照光路に分割する。スプリッタ、コンバイナには、ビームスプリッタ、ハーフミラー、ファイバーカップラ、サーキュレータ等が用いられる。測定光路は、被検眼に光を導くための構成（例えば、導光光学系１５０）を有する。参照光路は、光を装置内で進行させ、測定光と干渉させるための構成（例えば、参照光学系３００）を有する。参照光路は、参照光を生成するために用いられる。コンバイナは、被検物で反射された測定光路からの測定光と、参照光路からの参照光とを合成（干渉）させる。検出器（例えば、検出器１２０）は、測定光路を介して眼Ｅに導かれた測定光と参照光路からの参照光との干渉信号を含むスペクトル信号を検出するために設けられる。
【００１４】
演算制御器（例えば、制御部７０）は、例えば、装置の各構成の制御処理、画像処理、演算処理、等を行ってもよい。より詳細には、演算制御器は、各波長での干渉信号を含むスペクトル信号を得て、スペクトル信号を処理してもよいし、さらに、演算制御器は、スペクトル信号を処理して深さ方向に関する被検眼のデータ（深さ情報）を得てもよい。
【００１５】
測定光路には、測定光を走査させる走査部（例えば、光スキャナ１５６）が設けられてもよい。演算制御器は、各走査位置で得られた深さ情報を並べて、被検物の断層画像を得てもよい。演算制御器は、得られた結果を記憶部（例えば、メモリ７２）に記憶してもよいし、得られた結果を表示部（例えば、表示部７５）に表示してもよい。
【００１６】
＜光路長差可変部＞
眼科装置１は、例えば、測定光路と参照光路との光路長差を変更するための光路長差可変部を備えてもよい。より詳細には、光路長差可変部は、測定光路と参照光路との光路長差を変更するために干渉光学系１００の少なくとも一部を移動させる駆動部を備えてもよい。この場合、駆動部（例えば、駆動部３２０、駆動部３２０ｂ）は、測定光路又は参照光路のいずれかに配置された光学部材（例えば、光学部材３１０、光学部材３１０ｂ）を移動させてもよいし、干渉光学系１００全体を移動させてもよい。駆動部は、例えば、演算制御器によって駆動制御される。光路長差可変部は、例えば、測定光と参照光の光路長の少なくともいずれかを変更することによって、光路長差を変更する。なお、以下の説明では、光路長差は、特段の説明がない限り、測定光路と参照光路との光路長差として説明する。
【００１７】
光路長差可変部は、光路長差を調整するために干渉光学系１００に配置された光学部材３１０の少なくとも一部を光軸方向に移動させてもよい。なお、測定光の光路長が変更される場合、例えば、測定光路中に配置された光学部材（例えば、光ファイバーの端部）が光軸方向に移動される。
【００１８】
演算制御器は、光路長差可変部を制御して光路長差を変更し、光路長差が異なる複数の深さ情報を取得してもよい。つまり、測定光又は参照光の光路長の変化によって、光路長差が互いに異なる（測定光又は参照光の光路長が互いに異なる）状態で深さ情報が取得される。言い換えれば、測定光又は参照光の光路長が互いに異なる状態で深さ情報が取得される。演算制御器は、予め設定された複数の位置に光学部材を移動させることによって光路長差を変更し、予め設定された光路長差にて深さ情報を取得してもよい。なお、光路長差は、検者の手動操作によって変更されてもよい。
【００１９】
＜基準光学系＞
基準光学系２００は、複数の深さ情報の位置関係を設定するための基準干渉信号を取得するために設けられてもよい。基準光学系２００は、測定光又は参照光の一部を検出器に導く基準部（例えば、反射部２０６ａ〜反射部２０６ｅ）を備えてもよい。より詳細には、基準部は、測定光路と参照光路のいずれかに設けられてもよい。基準部は、光路長差可変部によって変更される光路長差に応じて複数設けられてもよい。基準部は、測定光路と参照光路のいずれかの既定の位置に設けられてもよい。基準部は、測定光又は参照光の一部を反射又は透過して検出器に導くための構造を備えてもよく、例えば、基準反射光学系又は基準透過光学系として設けられてもよい。
【００２０】
基準光学系２００は、光路長差が互いに異なる複数の深さ情報の位置関係を設定するための基準となる基準光を、光源からの光を用いて生成するための光学系として設けられてもよい。
【００２１】
光路長差可変部によって測定光路と参照光路の一方の光路長が変更される場合、基準光学系２００は、測定光と参照光の他方の光路に設けられてもよい。
【００２２】
基準部の具体的構成としては、例えば、一部の光を反射可能な光透過部材（例えば、ガラス部材、プラスチック部材）、一部の光を透過可能な光反射部材（例えば、セロハン、フィルタ）が用いられる。また、基準光学系２００は、光ファイバーであってもよい。この場合、光ファイバーの所定位置に欠陥部を形成することによって、基準部が形成される。
【００２３】
なお、基準部に設けられた反射面は、ＡＲコートにて反射率が規定されてもよい。また、反射面は各面毎に反射率が違っており（例えば、研磨面と砂目面）、反射ピークのＳＮＲを確認することで何面目の反射ピークかが特定されてもよい。また、反射面の各箇所において反射ピークの本数が異なるように形成され（例えば、セロハンの枚数を異ならせる）、反射ピークの本数を確認することで何面目の反射ピークかが特定されてもよい。なお、干渉信号の位相・分散の違いによって何面目の反射ピークかが特定されてもよい。
【００２４】
基準光学系２００としては、互いに長さが異なる反射光学部材を複数設け、基準光学系２００での測定光路中に配置する反射光学部材を、光路長の変更に応じて切り換えるようにしてもよい。この場合、各反射光学部材の長さは、切り換えられる参照光の光路長に応じて設定される。
【００２５】
なお、光路長差が変更される場合、深さ情報の取得領域が変更されうる。そこで、測定光の焦点位置を眼Ｅの深さ方向に関して変更するための焦点位置変更部を、測定光路（例えば、導光光学系１５０）に設けるようにしてもよい。焦点位置変更部としては、例えば、対物レンズ系を光軸方向に移動させたり、レンズを挿脱したり、液晶レンズによって屈折力を電気的に変更する等の手法が考えられる。
【００２６】
なお、基準光学系２００は、前眼部又は眼底を別々に計測する場合、測定光路から離脱されてもよい。例えば、基準光学系２００の光路中に遮光部が配置されることによって、基準光学系２００は、測定光路から離脱される。
【００２７】
＜基準干渉信号の設定＞
演算制御器は、第１の深さ情報及び第２の深さ情報の位置関係を、基準光学系２００によって生成される基準干渉信号（例えば、干渉信号２１０ａ）を用いて設定してもよい（図３参照）。基準干渉信号は、例えば、基準部からの光による干渉信号である。第１の深さ情報及び第２の深さ情報は、例えば、測定光路と参照光路との光路長差が異なる状態にて取得される。つまり、演算制御器は、互いに異なる光路長差にて取得された複数の深さ情報の位置関係を、基準干渉信号を用いて設定してもよい。
【００２８】
位置関係の設定としては、演算制御部は、例えば、第１の深さ情報と第２の深さ情報を合成する際の位置関係の調整に基準干渉信号を用いてもよい。また、演算制御部は、基準干渉信号を用いて、第１の深さ情報と第２の深さ情報との間の光路長差を規定してもよい。
【００２９】
第１の深さ情報は、眼Ｅの第１の部位（例えば、角膜部位）からの測定光と参照光による第１の干渉信号を含んでもよい。第２の深さ情報は、第１の深さ情報とは異なる光路長差にて取得され眼Ｅの第２の部位からの測定光と参照光による第２の干渉信号を含んでもよい。
【００３０】
演算処理器は、第１の深さ情報に基づいて第１の部位の位置（例えば、角膜位置）を検出し、第２の深さ情報に基づいて第２の部位の位置（例えば、網膜位置）を検出してもよい。演算制御器は、検出された第１の部位の位置と、第２の部位の位置と、前述のように設定された位置関係と、に基づいて第１の部位と第２の部位との間の距離を測定してもよい。第１の部位と第２の部位との間の距離としては、例えば、眼軸長、前房深度が挙げられる。ここで、基準部を用いて形成された位置関係を活用することで、例えば、部位間の距離を適正に測定できる。
【００３１】
演算処理器は、第１の深さ情報と第２の深さ情報とを、基準干渉信号に基づいて合成することによって合成深さ情報を取得してもよい。例えば、演算処理器は、同一の基準部からの光による基準干渉信号の位置が深さ方向に関して一致するように、第１の深さ情報と第２の深さ情報を合成するようにしてもよい（図２参照）。演算処理器は、例えば、異なる基準部からの光による基準干渉信号間の距離が、既知の距離である基準部間の距離に対応するように、第１の深さ情報と第２の深さ情報を合成するようにしてもよい（図４参照）。
【００３２】
演算処理器は、基準干渉信号を用いた後、深さ情報に含まれる基準干渉信号を信号処理によって除去してもよい。例えば、演算処理器は、合成深さ情報を得た後、合成された深さ情報に含まれる基準干渉信号を消去してもよい。
【００３３】
なお、光路長差が異なる複数の深さ情報を得る場合、光路長差を変更するために移動される光学部材が、所定位置に停止された状態で深さ情報が取得されてもよいし、移動中における所定のタイミングにて深さ情報が取得されてもよい。
【００３４】
＜複数の参照光路＞
参照光路は、第１の参照光路（例えば、第１参照光学系３００ａ）と、第１の参照光路よりも長い光路長に設定される第２の参照光路（例えば、第２参照光学系３００ｂ）と、を備えてもよい。例えば、第１の参照光路は、角膜の深さ情報を得るために光路長が設定され、第２の参照光路は、水晶体、眼底の少なくともいずれかの深さ情報を得るために光路長が設定されてもよい。
【００３５】
演算処理器は、第１の参照光路からの参照光と第１の部位からの測定光による第１の干渉信号を含む深さ情報を第１の深さ情報として取得してもよい。演算制御器は、第２の参照光路からの参照光と第２の部位からの測定光による第２の干渉信号を含む深さ情報を第２の深さ情報として取得してもよい。
【００３６】
基準光学系２００は、第１の干渉信号に基準干渉信号を形成させるための第１の基準部と、第２の干渉信号に基準干渉信号を形成させるための第２の基準部と、を備えてもよい。光路長差可変部は、例えば、第２参照光路の光路長を変更することによって光路長差を変更するようにしてもよい。これによって、計測領域が、水晶体から眼底までに変更される。
【００３７】
この場合、例えば、第１の部位による干渉信号と第２の部位による干渉信号を同時に検出できるので、測定中の位置ずれに対して強く、例えば、測定精度が確保される。
【００３８】
また、基準光学系の２００の一部を参照光路として用いるようにしてもよい。例えば、特定の基準部（例えば、反射部２０６ａ）の反射率が他の基準部に対して高く設定され、特定の基準部からの光（参照光）と、角膜からの測定光とが干渉されてもよい。この場合、第１の参照光路として、反射率の高い基準部が用いられる。
【００３９】
＜断層画像の取得＞
走査部を制御して断層画像を取得する場合、演算制御器は、各走査位置での第１の深さ情報に基づいて第１の断層画像を生成してもよい。また、演算制御器は、各走査位置での第２の深さ情報に基づいて第２の断層画像を生成してもよい。
【００４０】
演算処理器は、第１の断層画像と、第２の断層画像とを、基準干渉信号に基づいて合成することによって合成断層画像を得てもよい。演算処理器は、合成断層画像を得た後、合成断層画像に含まれる基準干渉信号を消去してもよい。
【００４１】
演算処理器は、合成断層画像において第１の部位と第２の部位の位置を検出し、第１の部位と第２の部位との距離に基づいて被検眼における第１の部位と第２の部位との間の距離を測定してもよい。
【００４２】
＜３ステップ以上での深さ情報の取得＞
光路長差可変部は、少なくとも３つ以上の異なる光路長差に設定可能であってもよい（図２、図４参照）。基準光学系２００は、光路長差可変部によって変更される少なくとも３つ以上の光路長差に応じて基準部を複数備えてもよい。
【００４３】
演算制御器は、前述の第１の深さ情報と、第３の深さ情報との位置関係を、対応する基準干渉信号を基準として設定してもよい。第３の深さ情報は、第１の深さ情報とは異なる光路長差にて取得され被検眼の第３の部位からの測定光と参照光による第３の干渉信号を含んでもよい。また、演算制御器は、前述の第２の深さ情報と、第３の深さ情報との位置関係を、対応する基準干渉信号を基準として設定してもよい。
【００４４】
演算制御器は、第１の深さ情報と、第２の深さ情報と、第３の深さ情報を、深さ方向に関して連続的に合成するようにしてもよい。
【００４５】
＜その他＞
また、眼科装置１は、フルレンジ処理（ミラーイメージ除去処理）を行うようにしてもよい。
【００４６】
＜第１実施例＞
本実施例では、眼科装置１として、図１及び図２に示される光コヒーレンストモグラフィー（ＯＣＴ）装置が用いられる。本実施例に係るＯＣＴ装置は、例えば、波長掃引式ＯＣＴ（ＳＳ−ＯＣＴ：Swept Source-OCT）を基本的構成とし、波長可変光源１０２、干渉光学系（ＯＣＴ光学系）１００、演算制御器（演算制御部）７０と、を含む。その他、眼科装置１には、メモリ７２、表示部７５、図示無き正面像観察系及び固視標投影系が設けられる。演算制御器（以下、制御部）７０は、波長可変光源１０２、干渉光学系１００、メモリ７２、表示部７５に接続されている。
【００４７】
干渉光学系１００は、導光光学系１５０によって測定光を眼Ｅに導く。干渉光学系１００は、参照光学系３００に参照光を導く。干渉光学系１００は、眼Ｅによって反射された測定光と参照光との干渉、によって取得される干渉信号光を検出器（受光素子）１２０に受光させる。さらに、本実施例の干渉光学系１００は、基準光学系２００を備える（詳しくは後述する）。なお、干渉光学系１００は、図示無き筐体（装置本体）内に搭載され、ジョイスティック等の操作部材を介して周知のアライメント移動機構により眼Ｅに対して筐体を３次元的に移動させることによって被検眼に対するアライメントが行われる。
【００４８】
干渉光学系１００には、ＳＳ−ＯＣＴ方式が用いられ、光源１０２として出射波長を時間的に高速で変化させる波長可変光源（波長走査型光源）が用いられる。光源１０２は、例えば、レーザ媒体、共振器、及び波長選択フィルタによって構成される。そして、波長選択フィルタとして、例えば、回折格子とポリゴンミラーの組み合わせ、ファブリー・ペローエタロンを用いたフィルタが挙げられる。
【００４９】
カップラー（スプリッタ）１０４は、光分割器として用いられ、光源１０２から出射された光を測定光路と参照光路に分割する。サーキュレータ１０３はカップラー１０４からの光を光ファイバー１０５に導光し、光ファイバー１０５からの光を光ファイバー１１９に導光する。なお、サーキュレータ１０３は、カップラーであってもよい。
【００５０】
カップラー（スプリッタ）１３０は、光ファイバー１０５からの光（測定光）を、導光光学系１５０の光路と基準光学系２００の光路に分割する。つまり、測定光路には、導光光学系１５０と基準光学系２００が設けられている。カップラー（スプリッタ）１３０は、ビームスプリッタであってもよい。
【００５１】
＜導光光学系＞
導光光学系１５０は、測定光を眼Ｅに導くために設けられる。導光光学系１５０には、例えば、光ファイバー１５２、コリメータレンズ１５４、光スキャナ１５６、及び対物レンズ系１５８が順次設けられている。
【００５２】
測定光は、光ファイバー１５２を介して、コリメータレンズ１５４によって平行ビームとなり、光スキャナ１５６に向かう。光スキャナ１５６を通過した光は、対物レンズ系１５８を介して、眼Ｅに照射される。測定光は、前眼部及び後眼部の両方に照射され、各組織にて散乱・反射される。
【００５３】
光スキャナ１５６は、眼Ｅ上でＸＹ方向（横断方向）に測定光を走査させる。光スキャナ１５６は、例えば、２つのガルバノミラーであり、その反射角度が駆動機構によって任意に調整される。光源１０２から出射された光束は、その反射（進行）方向が変化され、眼底上で任意の方向に走査される。光スキャナ１５６としては、反射ミラー（ガルバノミラー、ポリゴンミラー、レゾナントスキャナ）の他、光の進行（偏向）方向を変化させる音響光学素子（ＡＯＭ）等が用いられる。
【００５４】
測定光による眼Ｅからの散乱光（反射光）は、対物レンズ系１５８、光スキャナ１５６、コリメータレンズ１５４、光ファイバー１５２〜サーキュレータ１０３、光ファイバー１１９を経て、カップラー３５０に達する。散乱光は、カップラー３５０にて参照光と合波されて干渉する。
【００５５】
＜基準光学系＞
第１実施例において、基準光学系２００は、複数の深さ情報を合成するための基準信号を得るために設けられる。基準光学系２００は、反射光学部材２０４を備えてもよい。基準光学系２００には、例えば、コリメータレンズ２０２、反射光学部材２０４が順次設けられている。反射光学部材２０４は、反射部２０６ａ〜２０６ｅを備え、反射部２０６ａ〜２０６ｅは、光軸方向に並べられている。
【００５６】
反射光学部材２０４は、例えば、光透過部材（例えば、ガラス部材、プラスチック部材等）２０４ａ〜２０６ｅが光軸方向に貼り合わせられることによって形成される。なお、反射光学部材２０４としては、光透過性を持つ光反射部材（例えば、セロハン、フィルタ）を、各基準位置（第１の位置〜第４の位置）に配置するようにしてもよい。
【００５７】
この場合、例えば、接合される光反射部材間において、屈折率が異なる部材が用いられることによって反射光が生じる。また、光反射性を持つコーティングを施すようにしてもよい。接合部での反射を得る場合は、接合剤と光透過部材との間の接合部の欠陥が利用されてもよい。
【００５８】
第１光透過部材２０４ａの第１面は、第１反射部２０６ａとして用いられ、第１光透過部材２０４ａの第２面と第２光透過部材２０４ｂの第１面との接合面は、第２反射部２０６ｂとして用いられ、第２光透過部材２０４ｂの第２面と第３光透過部材２０４ｃの第１面との接合面は、第３反射部２０６ｃとして用いられ、第３光透過部材２０４ｃの第２面と第４光透過部材２０４ｄの第１面との接合面は、第４反射部２０６ｄとして用いられ、第４光透過部材２０４ｄの第２面は、第５反射部２０６ｅとして用いられる。
【００５９】
コリメータレンズ２０２からの光は、反射部２０６ａ〜２０６ｅにてそれぞれ反射され、コリメータレンズ２０２、カップラー１３０に戻される。反射部２０６ａ〜２０６ｅの反射光は、導光光学系１５０からの光と同様の経路を経て、カップラー３５０に達する。反射部２０６ａ〜２０６ｅの反射光は、カップラー３５０にて参照光と合波されて干渉する。
【００６０】
反射部２０６ａ〜２０６ｅの間隔Ｚ１は、眼科装置１のＺ方向の計測範囲Ｚ２よりも短い距離に設定される（図３参照）。Ｚ方向の計測範囲Ｚ２は、測定光と参照光との光路差がゼロになる位置（ゼロディレイ位置）からの計測距離として予め算出される。
【００６１】
また、フルレンジ処理（ミラーイメージ除去処理）を行う場合、Ｚ方向の計測範囲として、ゼロディレイ位置に対してプラス側の計測範囲と、ゼロディレイ位置に対してマイナス側の計測範囲とを出し合わせた距離が設定されてもよい。
【００６２】
＜参照光学系＞
参照光学系３００は、眼Ｅでの測定光の反射によって取得される反射光と合成される参照光を生成する。参照光学系３００は、マイケルソンタイプであってもよいし、マッハツェンダタイプであっても良い。
【００６３】
参照光学系３００は、例えば、反射光学系によって形成され、カップラー１０４からの光を反射光学系により反射することにより検出器１２０に導いてもよい。参照光学系３００は、透過光学系によって形成されてもよい。この場合、参照光学系３００は、カップラー１０４からの光を戻さず透過させることにより検出器１２０へと導く。
【００６４】
本装置は、測定光と参照光との光路長差を調整するために干渉光学系１００に配置された光学部材３１０の少なくとも一部を、光軸方向に移動させる。駆動部３２０は、光学部材３１０を移動させるために設けられている。
【００６５】
例えば、参照光学系３００は、参照光路中の光学部材３１０を移動させることにより、測定光と参照光との光路長差を調整する構成を有する。
【００６６】
より詳細には、参照光学系３００は、例えば、サーキュレータ１０６、光ファイバー１０７、コリメータレンズ３０５、光学部材３１０を備える。サーキュレータ１０６は、カップラー１０４からの光を光ファイバー１０７に導光し、光ファイバー１０７からの光を光ファイバー１０９に導光する。なお、サーキュレータ１０６は、カップラーであってもよい。
【００６７】
光ファイバー１０７からの参照光は、コリメータレンズ３０５にて平行にされた後、光学部材３１０にて反射される。光学部材３１０にて反射された光は、コリメータレンズ３０５、光ファイバー１０７、サーキュレータ１０６、光ファイバー１０９を経てカップラ３５０に達する。参照光は、カップラー３５０にて測定光路からの光と合波されて干渉する。
【００６８】
＜光検出器＞
検出器１２０は、測定光路からの光と参照光路からの光による干渉を検出するために設けられている。検出器１２０としては、平衡検出を行ってもよい。この場合、検出器１２０は、複数の受光素子を備え、第１受光素子からの干渉信号と第２受光素子からの干渉信号との差分を得て、干渉信号に含まれる不要なノイズを削減する。各受光素子は、受光部が一つのみからなるポイントセンサであって、例えば、アバランシェ・フォト・ダイオードが用いられる。
【００６９】
＜深さ情報の取得＞
光源１０２により出射波長が変化されると、これに対応する干渉信号光が検出器１２０に受光され、結果的に、スペクトル信号として検出器１２０によって検出される。制御部７０は、検出器１２０によって検出されたスペクトル信号を処理（フーリエ解析）し、被検眼の深さ情報を得る。
【００７０】
スペクトル信号（スペクトルデータ）は、波長λの関数として書き換えられ、波数ｋ（＝２π／λ）に関して等間隔な関数Ｉ（ｋ）に変換されてもよい。あるいは、初めから波数ｋに関して等間隔な関数Ｉ（ｋ）として取得されてもよい（Ｋ―ＣＬＯＣＫ技術）。演算制御器は、波数ｋ空間でのスペクトル信号をフーリエ変換することにより深さ（Ｚ）領域における反射率分布を得てもよい。
【００７１】
さらに、フーリエ変換後の情報は、Ｚ空間での実数成分と虚数成分を含む信号として表されてもよい。制御部７０は、Ｚ空間での信号における実数成分と虚数成分の絶対値を求めることによりＡスキャン信号（深さ方向における信号強度値）を得てもよい。
【００７２】
＜制御系＞
制御部７０は、ＣＰＵ（プロセッサ）、ＲＡＭ、ＲＯＭ等を備えてもよい（図１参照）。例えば、制御部７０のＣＰＵは、眼科装置１の制御を司る。ＲＡＭは、各種情報を一時的に記憶する。制御部７０のＲＯＭには、眼科装置１の動作を制御するための各種プログラム、初期値等が記憶されている。
【００７３】
制御部７０には、不揮発性メモリ（以下、メモリに省略する）７２、操作部７４、および表示部７５等が電気的に接続されてもよい。メモリ７２には、電源の供給が遮断されても記憶内容を保持できる非一過性の記憶媒体が用いられてもよい。例えば、ハードディスクドライブ、フラッシュＲＯＭ、および、眼科装置１に着脱可能に装着されるＵＳＢメモリ等をメモリ７２として使用することができる。メモリ７２には、眼科装置１による深さ情報の取得及びおよび断層画像の撮影を制御するための制御プログラムが記憶されてもよい。また、メモリ７２には、眼軸長の測定結果、撮影された断層画像等、撮影に関する各種情報が記憶されてもよい。操作部７４には、検者による各種操作指示が入力されてもよい。操作部７４は、例えば、走査位置の設定、測定モードの切換等に用いられてもよい。
【００７４】
＜装置の動作＞
以上のような構成を備える眼科装置１において、その動作について説明する。はじめに、眼軸長を測定する場合について説明する。なお、眼軸長を測定する場合、光スキャナ１５６の駆動を停止する。この場合、例えば、眼Ｅの視軸と、測定光のビームの主光線とが一致するように、光スキャナ１５６の偏向角度が設定されてもよい。
【００７５】
検者は、干渉光学系１００を内蔵する装置本体を被検眼に対して移動させることによって、ＸＹＺ方向に関するアライメントを調整する。例えば、図示無き前眼部観察カメラによって取得された前眼部像が表示部７５上に表示され、検者は、前眼部像を用いたアライメント調整を行う。
【００７６】
＜合成用深さ情報の取得＞
制御部７０は、駆動部３２０の駆動を制御し、参照光の光路長を変更させることによって、複数の位置にて深さ情報をそれぞれ取得する。駆動部３２０の駆動によって光学部材３１０が光軸方向に移動されると、結果として、被検眼に対する計測領域が変更される。
【００７７】
本実施例の装置は、フーリエドメインＯＣＴであるので、例えば、光学部材３１０がある位置に配置された状態において、計測範囲Ｚ１に対応する深さ情報を取得できる（図３参照）。そこで、光学部材３１０が第１の位置３３０ａに配置されたとき、計測範囲Ｚ１に対応する第１の深さ情報Ｚ１０を取得できる。また、光学部材３１０が第２の位置３３０ｂに配置されたとき、計測範囲Ｚ１に対応する第２の深さ情報Ｚ２０を取得できる。なお、光学部材３１０が第３の位置３３０ｃに配置されたとき、計測範囲Ｚ１に対応する第３の深さ情報Ｚ３０が取得され、光学部材３１０が第４の位置３３０ｄに配置されたとき、計測範囲Ｚ１に対応する第４の深さ情報Ｚ４０が取得される。
【００７８】
結果として、第１の深さ情報Ｚ１０には、眼Ｅの前眼部に対応する干渉信号と、第１反射部２０６ａに対応する干渉信号２１０ａと、第２反射部２０６ｂに対応する干渉信号２１０ｂとが含まれる。
【００７９】
なお、本実施例では、前眼部に対応する干渉信号として、角膜前面に対応する干渉信号ＡＣの他、図示無き角膜後面に対応する干渉信号、水晶体前面に対応する干渉信号等が含まれる。もちろん、これに限定されず、これらの少なくともいずれかの干渉信号が検出されてもよいし、白内障眼の水晶体混濁部に対応する干渉信号が検出されてもよい。
【００８０】
さらに、第２の深さ情報Ｚ２０には、第２反射部２０６ｂに対応する干渉信号２１０ｂと、第３反射部２０６ｃに対応する干渉信号２１０ｃとが検出される。第３の深さ情報Ｚ３０には、第３反射部２０６ｃに対応する干渉信号２１０ｃと、第４反射部２０６ｄに対応する干渉信号２１０ｄとが検出される。第４の深さ情報Ｚ４０には、第４反射部２０６ｄに対応する干渉信号２１０ｄと、第５反射部２０６ｅに対応する干渉信号２１０ｅとが検出される。
【００８１】
また、眼Ｅの眼底に対応する干渉信号が取得される位置は、眼Ｅの眼軸長によって異なる。図１では、第４の位置３３０ｄに光学部材３１０が配置されたとき、眼底に対応する干渉信号が検出された例を示している。本実施例では、眼底に対応する干渉信号として、網膜表面に対応する干渉信号ＡＲ、図示無き網膜後面に対応する干渉信号ＰＲとが含まれる。もちろん、これに限定されず、これらの少なくともいずれかの干渉信号が検出されてもよいし、網膜層の各層に対応する干渉信号、脈絡膜層に対応する干渉信号が検出されてもよい。
【００８２】
光学部材３２０の移動間隔としては、例えば、前述のように、互いに隣接する位置にて取得される深さ情報において、互いの計測領域が重複し、かつ、重複領域において同一の反射部の干渉信号が取得される移動間隔に設定される。
【００８３】
＜深さ情報の合成＞
制御部７０は、参照光の光路長が互い異なる位置にて取得された深さ情報を、基準光学系２００によって得られる基準信号を基準として合成する。反射部２０６ａ〜２０６ｅに対応する干渉信号２１０ａ〜２１０ｅは、深さ情報２０６ａ〜２０６ｅを合成する際の基準干渉信号（以下、基準信号）として用いられる。
【００８４】
制御部７０は、各位置にて取得された深さ情報を処理し、反射部に対応する干渉信号を抽出する。反射部に対応する干渉信号の強度は既知であるから、制御部７０は、例えば、深さ情報の各輝度信号に対し、反射部に対応する干渉信号を得るために設定された閾値を超えるか否を判定することによって反射部に対応する信号（基準信号）を抽出できる。
【００８５】
図３は深さ情報を合成する際の一例を示す図である。制御部７０は、同一の反射部に対応する信号が深さ方向に関して一致するように各深さ情報を合成する。これによって、前眼部から眼底までの干渉信号を含む連続的な深さ情報が取得される。
【００８６】
より詳細には、制御部７０は、第１の深さ情報Ｚ１０に含まれる干渉信号２１０ｂと、第２の深さ情報Ｚ２０に含まれる干渉信号２１０ｂとが一致するように、第１の深さ情報Ｚ１０と第２の深さ情報Ｚ２０とを合成する。なお、同様に、第２の深さ情報Ｚ２０と第３の深さ情報Ｚ３０とが合成される際、干渉信号２１０ｃが用いられ、第３の深さ情報Ｚ３０と第３の深さ情報Ｚ４０とが合成される際、干渉信号２１０ｄが用いられ、第４の深さ情報Ｚ４０と第５の深さ情報Ｚ５０とが合成される際、干渉信号２１０ｅが用いられる。
【００８７】
なお、同一の反射部に対応する信号を深さ方向に関して一致させる際、制御部７０は、例えば、同一の反射部に対応する信号のピーク位置に関して、第１の深さ情報Ｚ１０でのピーク位置と第２の深さ情報Ｚ２０でのピーク位置が一致するように合成位置を調整してもよい。なお、複数の深さ情報間の重複部分に関する合成について、いずれか一方の深さ情報を用いるようにしてもよいし、両方の深さ情報の平均を求めるようにしてもよい。
【００８８】
制御部７０は、上記のようにして合成された深さ情報（以下、合成深さ情報ＺＳ）に基づいて被検眼の眼軸長を測定する。より詳細には、合成深さ情報ＺＳに含まれる干渉信号ＡＣと干渉信号ＰＲとの位置情報に基づいて眼軸長を測定する。制御部７０は、測定結果を表示部７５上に表示する。
【００８９】
このようにすれば、例えば、フーリエドメインＯＣＴにおいて、被検眼の眼軸長を簡易的な構成で取得できる。また、既知の光学配置を持つ基準光学系２００が用いられることによって、異なる深さ情報間での位置関係が正確に規定され、部位間の測定が適正に行われる。
【００９０】
＜断層画像の取得＞
なお、測定光を走査することによって眼の断層画像を取得するようにしてもよい。より詳細には、制御器７０は、光スキャナ１５６の駆動を制御し、眼Ｅ上で測定光を横断方向に走査させる。制御器７０は、各走査位置での合成深さ情報ＺＳを順次並べることにより合成断層画像を形成してもよい。制御部７０は、形成された合成断層画像を表示部７５上に表示する。合成断層画像には、前眼部断層像及び眼底断層像が含まれ、眼全体を観察できる。なお、合成断層画像は、メモリ７２に記憶されてもよい。
【００９１】
対物レンズ系１５８は、光スキャナ１５６と眼Ｅの瞳孔部とが共役関係となるように構成されてもよい。これによって、測定ビームは、瞳孔を中心として旋回される。また、対物レンズ系１５８は、像側テレセントリック系として構成されてもよい。これによって、光スキャナ１５６によって走査される測定ビームは、走査位置にかかわらず、対物レンズ系１５８の光軸に対して平行な位置関係が保持される。
【００９２】
上記のような構成によれば、光軸方向における眼の広範囲（例えば、角膜から眼底を含む眼全体）の断層画像を簡易的な構成で取得できる。なお、制御部７０は、合成断層画像を処理して眼軸長を測定するようにしてもよい。
【００９３】
＜第２実施例＞
図４は第２実施例に係る眼科装置１の構成について説明する図である。なお、第２実施例の説明において、第１実施例と同様の番号を付した構成については、同様の機能・作用を奏するものとし、特段の説明を省略する。
【００９４】
第２実施例では、参照光学系３００には、複数の参照光路が設けられている。第１の参照光学系３００ａは、角膜に対応する干渉信号を得るために設けられている、第２の参照光学系３００ｂは、水晶体又は眼底に対応する干渉信号を得るために設けられている。この場合、第２の参照光学系３００ｂは、第１参照光学系３００ａよりも長い光路長に設定される。第１参照光学系３００ａは、アライメント完了時において、干渉信号の検出可能範囲（断層画像の撮像可能範囲）に角膜が含まれるように光路長が固定されている。なお、第１の参照光学系３００ａと第２の参照光学系３００ｂのそれぞれの具体的構成については、第１実施例の参照光学系３００と同様に、種々の変容が可能である。
【００９５】
より詳細には、参照光学系３００は、例えば、参照光を第１参照光と第２参照光に分割するためのビームスプリッタ３６０を備える。ビームスプリッタ３６０としては、例えば、偏光ビームスプリッタが用いられる。しかしながら、これに限定されず、カップラーであってもよい。好ましくは、第１参照光路と第２参照光路のそれぞれの光路中において、遮光部が挿脱可能に配置され、第１参照光路を用いた計測と、第２参照光路を用いた計測とを選択的に行うようにしてもよい。この場合、１フレーム単位で光路が切り換えられてもよい。また、選択的な切換としては、光スイッチが用いられてもよい。光スイッチの場合、例えば、参照光が向かう光路が、第１参照光路と第２参照光路との間で選択的に切り替えられ、角膜断層像と、水晶体断層像（又は眼底断層像）とが交互に取得される。第１参照光学系３００ａには、例えば、光学部材３１０ａ（例えば、参照ミラー）が固定的に配置される。
【００９６】
第２参照光学系３００ｂには、例えば、測定光と参照光との光路長差を調整するために移動される光学部材（例えば、参照ミラー）３１０ｂが配置される。駆動部３２０ｂは、光学部材３１０ｂを移動させるために設けられている。
【００９７】
光ファイバー１０７からの参照光は、コリメータレンズ３０５にて平行にされた後、ビームスプリッタ３６０によって第１参照光と第２参照光に分割される。第１参照光は、ミラー３０３を介して光学部材３１０ａによって反射された後、ミラー３０３〜光ファイバー１０９を経てカップラ３５０に達する。第１参照光は、カップラー３５０にて測定光路からの角膜反射光と合波されて干渉する。
【００９８】
第２参照光は、光学部材３１０ｂにて反射された後、ビームスプリッタ３６０〜光ファイバー１０９を経てカップラ３５０に達する。第２参照光は、カップラ３５０にて測定光路からの反射光（例えば、水晶体反射光、眼底反射光）と合波されて干渉する。
【００９９】
第２実施例の基準光学系２００では、反射光学部材２０４としては、反射部２０６ａ〜２０６ｄを備え、反射部２０６ａ〜２０６ｄは、光軸方向に並べられている。反射光学部材２０４は、例えば、光透過部材（例えば、ガラス部材、プラスチック部材等）２０４ａ〜２０４ｄが光軸方向に貼り合わせられることによって形成される。なお、第２実施例での反射部２０６ａ〜２０６ｄの間隔Ｚ１は、眼科装置１のＺ方向の計測範囲Ｚ２よりも長い距離に設定される。
【０１００】
以下、第２実施例の装置の動作について説明する。第２実施例では、光スキャナ１５６を駆動させることによって断層画像を取得し、取得された断層画像に基づいて眼軸長を測定する。しかしながら、これに限定されず、第１実施例と同様、光スキャナ１５６の駆動を停止した状態で眼軸長を測定してもよい。
【０１０１】
第２実施例では、光学部材３１０ａが第１の位置３３０ａに固定されているので、計測範囲Ｚ１（角膜領域を含む）に対応する第１の深さ情報Ｚ１０が定常的に取得できる。結果として、第１の深さ情報Ｚ１０には、眼Ｅの角膜に対応する干渉信号と、第１反射部２０６ａに対応する干渉信号２１０ａとが、少なくとも含まれる。
【０１０２】
制御部７０は、駆動部３２０ｂの駆動を制御し、参照光の光路長を変更させることによって、複数の位置（第２の位置〜第４の位置）にて深さ情報Ｚ２０〜Ｚ４０をそれぞれ取得する。光学部材３１０ｂが第２の位置３３０ｂに配置されたとき、第２の深さ情報Ｚ２０が取得され、光学部材３１０ｂが第３の位置３３０ｃに配置されたとき、第３の深さ情報Ｚ３０が取得され、光学部材３１０ｂが第４の位置３３０ｄに配置されたとき、第４の深さ情報Ｚ４０が取得される。第２の深さ情報Ｚ２０には、眼Ｅの水晶体に対応する干渉信号が少なくとも含まれる。なお、深さ情報Ｚ２０〜Ｚ４０を取得する際、参照光路の選択動作によって第１の参照光路が一時的に選択された場合、第１の深さ情報が取得される。これにより、第１の深さ情報と、他の深さ情報が略同時に取得される。
【０１０３】
また、眼Ｅの眼底に対応する干渉信号が取得される位置は、眼Ｅの眼軸長によって異なる。図５では、第４の位置に光学部材３１０ｂが配置されたとき、眼底に対応する干渉信号が検出された例を示している。
【０１０４】
光学部材３２０の移動間隔としては、例えば、前述のように、互いに隣接する位置にて取得される深さ情報において、反射部の干渉信号が深さ情報の端部に検出されるような移動間隔に設定される。図５では、反射部による干渉信号が、０ディレイ位置に対して前側と後側で交互に発生されるように移動間隔が設定されている。
【０１０５】
図５は深さ情報を合成する際の一例を示す図である。制御部７０は、参照光の光路長が互い異なる位置にて取得された深さ情報を、基準光学系２００によって得られる基準信号を基準として合成する。反射部２０６ａ〜２０６ｄに対応する干渉信号２１０ａ〜２１０ｄは、深さ情報２０６ａ〜２０６ｄを合成する際の基準信号として用いられる。なお、複数の深さ情報間の重複部分に関する合成について、いずれか一方の深さ情報を用いるようにしてもよいし、両方の深さ情報の平均を求めるようにしてもよい。
【０１０６】
制御部７０は、合成しようとする各深さ情報に含まれる基準信号間の距離が、対応する反射部間の距離に対応するように、複数の深さ情報を合成する。制御部７０は、第１の深さ情報Ｚ１０に含まれる干渉信号２１０ｂと、第２の深さ情報Ｚ２０に含まれる干渉信号２１０ｂとの距離が、既知の距離である反射部２０６ａと反射部２０６ｂの距離に対応するように、第１の深さ情報Ｚ１０と第２の深さ情報Ｚ２０とを合成する。これによって、角膜及び前眼部を含む合成深さ情報ＺＳ１が得られる。
【０１０７】
制御部７０は、第１の深さ情報Ｚ１０に含まれる干渉信号２１０ａと、第３の深さ情報Ｚ３０に含まれる干渉信号２１０ｃとの距離が、既知の距離である反射部２０６ａと反射部２０６ｃの距離に対応するように、第１の深さ情報Ｚ１０と第３の深さ情報Ｚ３０とを合成する。これによって、角膜及び眼底を含む合成深さ情報ＺＳ２が得られる。
【０１０８】
制御部７０は、第１の深さ情報Ｚ１０に含まれる干渉信号２１０ａと、第４の深さ情報Ｚ４０に含まれる干渉信号２１０ｄとの距離が、既知の距離である反射部２０６ａと反射部２０６ｄの距離に対応するように、第１の深さ情報Ｚ１０と第３の深さ情報Ｚ４０とを合成する。これによって、眼底を含む合成深さ情報ＺＳ３が得られる。
【０１０９】
制御部７０は、上記のようにして合成された深さ情報に基づいて被検眼の眼軸長を測定する。より詳細には、合成深さ情報に含まれる干渉信号ＡＣと干渉信号ＰＲとの位置情報に基づいて眼軸長を測定する。制御部７０は、測定結果を表示部７５上に表示する。
【０１１０】
より詳細には、制御部７０は、合成深さ情報ＺＳ１、ＺＳ２、ＺＳ３から角膜と眼底の両方が検出された合成深さ情報を特定する。制御部７０は、特定された合成深さ情報における干渉信号ＡＣと干渉信号ＰＲとの位置情報に基づいて眼軸長を測定する。
【０１１１】
なお、制御部７０は、合成深さ情報ＺＳ１と、第３の深さ情報Ｚ３０及び第４の深さ情報Ｚ４０を合成するようにしてもよい。この場合、制御部７０は、合成深さ情報ＺＳ１に含まれる基準信号（例えば、干渉信号２１０ａ）と、各深さ情報に含まれる基準信号との距離が、既知の距離である反射部（例えば、反射部２０６ａと反射部２０６ｃ）間の距離に対応するように、合成処理を行うようにしてもよい。これによって、前眼部から眼底までの干渉信号を含む連続的な深さ情報が取得される。
【０１１２】
以上のような構成によれば、角膜のピークが定常的に検出できるので、測定中に眼が動いても、眼の寸法を精度よく測定できる。
【符号の説明】
【０１１３】
１  眼科装置
７０  演算制御器
１００  干渉光学系
１５０  導光光学系
２００  基準光学系
２０６ａ〜２０６ｅ  反射部
３００  参照光学系
３１０  光学部材
【図１】
0006442903.tif 000002
【図２】
0006442903.tif 000003
【図３】
0006442903.tif 000004
【図４】
0006442903.tif 000005
【図５】
0006442903.tif 000006